(57)【特許請求の範囲】
【請求項１】
前方が開放された筐体と、該筐体から引き出し自在に設けられて上方が開放された洗浄槽と、該洗浄槽の引き出しを案内する引き出し機構部と、前記洗浄槽の前壁外面に所定の空隙を存して設けられて該洗浄槽の引き出し動作により前記筐体の前面を開閉する前面パネルとを備え、前記引き出し機構部が、前記筐体に設けられて前記洗浄槽の引き出し方向に延びる複数の固定レールと、前記洗浄槽に取り付けられて、各固定レールの長手方向に沿って摺動案内される複数の可動レールとを備える食器洗浄機において、
前記洗浄槽の前壁と前記前面パネルとの間に、食器類の洗浄時に洗浄槽内から発生する音を遮蔽する板状の遮蔽部材を設け、
該遮蔽部材は、前記引き出し機構部の前記可動レールに直接連結されていることを特徴とする食器洗浄機。
【請求項２】
請求項１記載の食器洗浄機において、
前記遮蔽部材は、少なくとも一方側の面から突出する撓み防止用の凸条を備えることを特徴とする食器洗浄機。
【請求項３】
請求項２記載の食器洗浄機において、
前記凸条は、前記遮蔽部材の外周縁に沿って設けられることを特徴とする食器洗浄機。
【請求項４】
請求項１〜３の何れか１項記載の食器洗浄機において、
前記引き出し機構部の前記可動レールは、前記洗浄槽の底部角部から下方に張り出して設けられた引き出し方向に延びる脚壁部に取り付けられていることを特徴とする食器洗浄機。
【発明の詳細な説明】
【技術分野】
【０００１】
本発明は、騒音対策を施した食器洗浄機に関する。
【背景技術】
【０００２】
従来、システムキッチンに組み込まれるビルトイン型の食器洗浄機が知られている。ビルトイン型の食器洗浄機は、前方が開放された筐体と、筐体から引き出し自在に設けられて上方が開放された洗浄槽と、洗浄槽の引き出しを案内する引き出し機構部と、洗浄槽の前壁外面に所定の空隙を存して設けられて洗浄槽の引き出し動作により筐体の前面を開閉する前面パネルとを備えている（例えば、特許文献１参照）。
【０００３】
洗浄槽に収容された食器類は、洗浄槽の内部に設けられた洗浄ノズルから高圧噴射される洗浄水により洗浄される。洗浄ノズルから高圧噴射される洗浄水は、洗浄槽の内部で飛散して食器類に当たることで食器類に付着する汚れを洗い流す。
【０００４】
しかし、洗浄ノズルから高圧噴射される洗浄水は、食器類に当たるだけでなく、洗浄槽の周壁内面に到達するものも多い。洗浄水が洗浄槽の周壁内面に当たると、洗浄槽の周壁からは洗浄水の衝突音が生じる。洗浄槽の周壁で生じた洗浄水の衝突音が機外に漏れると、この時の衝突音が騒音となり、使用者にとって不快である。
【０００５】
ビルトイン型のような洗浄槽を前方に引き出すタイプの食器洗浄機は、前面側を除く筐体の周囲がシステムキッチンの内部に収められている。このため、洗浄槽から発生した騒音は比較的外部に漏れ難いと考えられており、騒音対策を施すことが行われていない。
【先行技術文献】
【特許文献】
【０００６】
【特許文献１】特開２００７−２７５６０３号公報
【発明の概要】
【発明が解決しようとする課題】
【０００７】
しかし、洗浄槽を前方に引き出すタイプの食器洗浄機においては、筐体の開放側である前面側から騒音の漏れが集中的に発生する。このため、使用者が食器洗浄機の正面に位置した場合には、かえってうるさく感じる不都合があった。
【０００８】
そこで、洗浄槽の前壁に食器類の洗浄時に洗浄槽内から発生する音を遮蔽する遮蔽部材を連結固定して前面パネルへの音の伝達を阻止することが考えられる。
【０００９】
しかし、洗浄槽の製造ばらつきの影響を考慮すると、大きな形状の遮蔽部材を洗浄槽に取り付けることができない。即ち、洗浄槽は、筐体の前面開放側から引き出す動作が行われる。比較的大きな形状の遮蔽部材を洗浄槽に取り付けたときに、洗浄槽の製造ばらつきの影響で遮蔽部材の取り付け位置がずれると、遮蔽部材が筐体に干渉するおそれがある。
【００１０】
このように、前方に引き出す洗浄槽を有するビルトイン型の食器洗浄機においては、前方に設ける遮蔽部材を然程大きくすることができないため、騒音を十分に低減させることは困難であった。
【００１１】
上記の点に鑑み、本発明は、前方に引き出す洗浄槽に好適に採用して、洗浄時の騒音を確実に低減させた食器洗浄機を提供することを目的とする。
【課題を解決するための手段】
【００１２】
かかる目的を達成するために、本発明は、前方が開放された筐体と、該筐体から引き出し自在に設けられて上方が開放された洗浄槽と、該洗浄槽の引き出しを案内する引き出し機構部と、前記洗浄槽の前壁外面に所定の空隙を存して設けられて該洗浄槽の引き出し動作により前記筐体の前面を開閉する前面パネルとを備え、前記引き出し機構部が、前記筐体に設けられて前記洗浄槽の引き出し方向に延びる複数の固定レールと、前記洗浄槽に取り付けられて、各固定レールの長手方向に沿って摺動案内される複数の可動レールとを備える食器洗浄機において、前記洗浄槽の前壁と前記前面パネルとの間に、食器類の洗浄時に洗浄槽内から発生する音を遮蔽する板状の遮蔽部材を設け、該遮蔽部材は、前記引き出し機構部の前記可動レールに直接連結されていることを特徴とする。
【００１３】
引き出し機構部は、洗浄槽の引き出し動作が円滑に行われるように、極めて高精度な可動機構を有する。そこで、前記遮蔽部材を引き出し機構部に支持させることで、洗浄槽の製造ばらつきの影響を受けることなく前記遮蔽部材を設けることができる。これにより、筐体に干渉しない範囲で洗浄槽の前壁外面に対してできるだけ大きな面積を覆うように形成した遮蔽部材を設けることができ、遮蔽部材によって洗浄時の騒音を確実に低減させることができる。
【００１４】
また、本発明において、前記遮蔽部材は、少なくとも一方側の面から突出する撓み防止用の凸条を備えることが好ましい。
【００１５】
遮蔽部材に撓み防止用の凸条を設けることにより、遮蔽部材の剛性が高くなり、洗浄槽の前壁から発する空気の振動を遮蔽部材で確実に反射させることができるので、洗浄槽の前壁から発生した音を効率よく減衰させることができる。これによれば、遮蔽部材を比較的肉薄に形成しても浄槽内から発生する音を遮蔽することができる。よって、洗浄槽の前壁と前面パネルとの間が狭くても容易に遮蔽部材を設けることができる。
【００１６】
更に、前記凸条は、前記遮蔽部材の外周縁に沿って設けられることが好ましい。これにより、洗浄槽の前壁と遮蔽部材との間の空気が遮蔽部材の外周縁の外側に流動し難くなるため、遮蔽部材の外周縁から機外への音漏れを抑えることができる。
【００１７】
また、本発明において、前記引き出し機構部の前記可動レールは、前記洗浄槽の底部角部から下方に張り出して設けられた引き出し方向に延びる脚壁部に取り付けられていることを特徴とする。
【００１８】
洗浄槽は、底部角部から下方に張り出して引き出し方向に延びる脚壁部を備えており、脚壁部に前記可動レールが設けられている。この可動レールに前記遮蔽部材を支持させる。これにより、洗浄槽の製造ばらつきの影響を受けることなく前記遮蔽部材を設けることができ、洗浄時の騒音を確実に低減させることができる。
【図面の簡単な説明】
【００１９】
【図１】本発明の実施形態の食器洗浄機の構成を模式的に示す図。
【図２】本実施形態の食器洗浄機の外観を示す斜視図。
【図３】引き出し機構部の構成を模式的に示す説明的断面図。
【図４】図４Ａは洗浄槽の前方空間を露出させた図。図４Ｂは洗浄槽の前方空間を遮蔽部材により閉塞した状態を示す図。
【図５】遮蔽部材と可動レールの連結状態を示す斜視図。
【発明を実施するための形態】
【００２０】
本発明の一実施形態を図面に基づいて説明する。図１に示すように、食器洗浄機１は、筐体２の内部に引き出し自在の洗浄槽３を備えている。筐体２の前面は、図２に示すように、図示しないシステムキッチンと統一デザインの前面パネル４により閉塞される。前面パネル４は、図１に示すように、洗浄槽３の前側に取り付けられている。
【００２１】
洗浄槽３は、図１に示すように、上部が開放された箱状に形成されており、内部に食器類５を収容する。食器類５は食器カゴ６に支持された状態で洗浄槽３に収容される。
【００２２】
洗浄槽３の内部には、食器類５に洗浄水を当てる洗浄ノズル７が設けられている。洗浄ノズル７は、タワーノズル８と旋回ノズル９とで構成されており、タワーノズル８と旋回ノズル９との夫々に形成された噴射口１０から洗浄水を噴射する。
【００２３】
旋回ノズル９は、タワーノズル８の下端に連設され、洗浄水の水圧によって旋回する。旋回ノズル９の旋回によりタワーノズル８も回転する。
【００２４】
タワーノズル８は上段ノズル８ａと下段ノズル８ｂとで構成され、水圧により下段ノズル８ｂの内部から上段ノズル８ａが上方に伸びるようになっている。図１においては、伸びた状態のタワーノズル８を示している。
【００２５】
洗浄槽３には、洗浄運転に先立って給水管１２を介して給水され、このときの水（水道水等）を洗浄水とする。洗浄槽３の底部には、洗浄水を加温するヒータ１３が設けられていると共に、残菜フィルタ１４を介して下方に凹入する吸込凹部１５が設けられている。吸込凹部１５の洗浄水は、ポンプ１６により洗浄ノズル７に送られる。
【００２６】
ポンプ１６は、正転して洗浄ノズル７に吸込凹部１５の洗浄水を送り、逆転することにより吸込凹部１５の洗浄水を排水する。洗浄水は、洗浄運転が終了すると、排水管１７を介して機外に排出される。
【００２７】
洗浄槽３の上方には、蓋板１８が設けられている。蓋板１８は、図示しない昇降機構によって開閉動作が行われ、筐体２内部に洗浄槽３が収容されたときに降下して洗浄槽３を閉塞し、洗浄槽３が筐体２から引き出されると上昇して洗浄槽３の上方を開放する。
【００２８】
洗浄槽３の後方には、乾燥ファン１９が配置されている。乾燥ファン１９は、洗浄運転（すすぎを含む）の終了後に行われる乾燥運転の際に、吸気路２０を介して乾燥用空気を洗浄槽３の内部に送り、食器類５を乾燥させる。洗浄槽３と前面パネル４との間には、乾燥ファン１９から洗浄槽３の内部に送られた乾燥用空気を機外に導出する排気路２１が設けられている。
【００２９】
洗浄槽３は、図３に示すように、引き出し機構部２２によって筐体２から引き出し自在とされている。引き出し機構部２２は筐体２に設けられた固定レール２３と、洗浄槽３に設けられた可動レール２４とを備えている。
【００３０】
固定レール２３と可動レール２４とは、洗浄槽３の引き出し方向に延びる細長い形状を有している。可動レール２４は、固定レール２３に摺動案内されてその長手方向に移動する。
【００３１】
洗浄槽３は合成樹脂によって形成されている。固定レール２３及び可動レール２４は、金属製でしかも変形し難い形状に形成されていることにより高い精度が付与される。
これにより、万一洗浄槽３に製造上のばらつき（誤差）や使用時の歪みが生じても、固定レール２３及び可動レール２４による引き出し機構部２２によって、洗浄槽３の引き出し動作が円滑に行われる。
【００３２】
更に、可動レール２４は、洗浄槽３の底部角部から下方に張り出し且つ引き出し方向に延びる脚壁部３ａに取り付けられている。
【００３３】
図１に示すように、洗浄槽３の前壁３ｂと前面パネル４との間には、洗浄運転時に洗浄槽３内から発生する音を遮蔽する板状の遮蔽部材２５が設けられている。更に詳しく説明すると、図４Ａに示すように、洗浄槽３は、前壁３ｂを介して前方空間２６が形成されている。前方空間２６の内部には、電気部品からなるコントロールユニット２７や排気路２１等が収容される。図４Ｂに示すように、前方空間２６を閉塞する遮蔽部材２５が設けられる。
【００３４】
遮蔽部材２５は、合成樹脂によって板状に形成されており、図５に示すように、下端部に設けられたレール連結部２５ａを介して可動レール２４の前端にネジ止め連結されている。なお、可動レール２４は洗浄槽３に取り付けられているが、説明の便宜上、図５においては、洗浄槽３を省略している。
【００３５】
図５に示すように、遮蔽部材２５の一方の面（本実施形態においては洗浄槽３の前壁３ｂに対向する面）には格子状に突出する格子状ビード２５ｂが形成されている。また、遮蔽部材２５の輪郭に沿って洗浄槽３の前壁３ｂに向かって突出する枠状ビード２５ｃが形成されている。格子状ビード２５ｂ及び枠状ビード２５ｃは、本発明の凸条に相当するものである。
【００３６】
遮蔽部材２５が格子状ビード２５ｂ及び枠状ビード２５ｃを備えることにより、遮蔽部材２５の剛性が高くなり、洗浄槽３の前壁３ｂから発する空気の振動を遮蔽部材２５で確実に反射させることができる。よって、遮蔽部材２５は、洗浄槽３内で発生した音を効率よく減衰させることができる。しかも、枠状ビード２５ｃにより、洗浄槽３の前方空間２６内の空気が遮蔽部材２５の外周縁の外側に流動し難くなって前方空間２６と外部との通気が抑えられるので、洗浄槽３から機外への音漏れを抑えることができる。
【００３７】
更に、遮蔽部材２５は格子状ビード２５ｂ及び枠状ビード２５ｃを備えることにより、比較的薄手の板状に形成されていても撓み難く、軽量としながら音を確実に反射させて音の透過を防止できる。
【００３８】
また、遮蔽部材２５は、可動レール２４に連結することによって洗浄槽３の前壁３ｂと前面パネル４との間に保持されている。可動レール２４は、洗浄槽３の製造上のばらつきや使用時の歪みが生じても高い精度を維持するので、遮蔽部材２５を可動レール２４に連結することで、洗浄槽３から遮蔽部材２５への悪影響を防止することができる。更に、可動レール２４は、洗浄槽３の底部角部から下方に張り出し且つ引き出し方向に延びる脚壁部３ａに取り付けられていることにより、洗浄槽３の内部から離れた位置に可動レール２４が設けられ、可動レール２４から遮蔽部材２５への音の伝達も小さく抑えることができる。
【００３９】
なお、本実施形態においては、格子状ビード２５ｂ及び枠状ビード２５ｃを備える遮蔽部材２５を示したが、ビード（凸条）の形状は、これに限るものではない。また、遮蔽部材２５が撓みが少ない十分な強度を有しているものであれば、格子状ビード２５ｂと枠状ビード２５ｃとの何れか一方のみを設けてもよく、或いは、格子状ビード２５ｂと枠状ビード２５ｃとの両方を設けなくてもよい。
【符号の説明】
【００４０】
１…食器洗浄機、２…筐体、３…洗浄槽、３ａ…脚壁部、３ｂ…前壁、４…前面パネル、５…食器類、２２…引き出し機構部、２３…固定レール、２４…可動レール、２５…遮蔽部材、２５ｂ…格子状ビード（凸条）、２５ｃ…枠状ビード（凸条）。
【図１】
0006545041.tif 000002
【図２】
0006545041.tif 000003
【図３】
0006545041.tif 000004
【図４】
0006545041.tif 000005
【図５】
0006545041.tif 000006